(57)【要約】【課題】ＩＣタグなどが用いられる空間内の電界強度分布を容易且つ適切に測定することが可能な電界強度分布測定装置を提供する。【解決手段】電界強度分布測定装置は、測定空間における電界強度分布を測定するために用いられる。具体的には、電界強度測定手段は、アンテナより受信された電波における電界強度を測定し、信号送信手段は、測定された電界強度に対応する所定の信号を生成し、この所定の信号を無線で送信する。例えば、信号送信手段は、光信号を生成して送信する。そして、位置特定手段は、所定の信号を受信して、この所定の信号に基づいて電界強度の測定が行われた位置を特定する。上記の電界強度分布測定装置によれば、測定空間内の電界強度分布を容易且つ適切に測定することができる。【選択図】図２
2009075048.tif 000002
【特許請求の範囲】
【請求項１】
少なくともアンテナを備えて構成され、前記アンテナより受信された電波における電界強度を測定する電界強度測定手段と、
前記電界強度測定手段によって測定された前記電界強度に対応する所定の信号を生成し、前記所定の信号を無線で送信する信号送信手段と、
前記信号送信手段によって送信された前記所定の信号を受信し、当該所定の信号に基づいて前記電界強度測定手段によって前記電界強度の測定が行われた位置を特定する位置特定手段と、を備えることを特徴とする電界強度分布測定装置。
【請求項２】
前記信号送信手段は、前記所定の信号として光信号を生成して、前記光信号を送信し、
前記位置特定手段は、複数の受光素子を有し、前記複数の受光素子によって前記光信号を受信して、受信された前記光信号に基づいて前記電界強度の測定が行われた位置を特定することを特徴とする請求項１に記載の電界強度分布測定装置。
【請求項３】
前記信号送信手段は、前記所定の信号としてＵＷＢ信号を生成して、前記ＵＷＢ信号を送信し、
前記位置特定手段は、前記ＵＷＢ信号を受信可能なＵＷＢアンテナを有し、前記ＵＷＢアンテナによって前記ＵＷＢ信号を受信して、受信された前記ＵＷＢ信号に基づいて前記電界強度の測定が行われた位置を特定することを特徴とする請求項１に記載の電界強度分布測定装置。
【請求項４】
前記電界強度測定手段は、前記アンテナを換装可能に構成されていることを特徴とする請求項１乃至３のいずれか一項に記載の電界強度分布測定装置。
【請求項５】
前記電界強度測定手段は、ＩＣタグのアンテナと同様の電波特性を有するアンテナに換装されることを特徴とする請求項４に記載の電界強度分布測定装置。
【請求項６】
前記電界強度測定手段は、少なくとも前記アンテナの部分が被着体に一体にされた状態で、前記電界強度の測定を行うことを特徴とする請求項１乃至５のいずれか一項に記載の電界強度分布測定装置。
【請求項７】
アンテナより受信された電波における電界強度を測定する電界強度測定工程と、
前記電界強度測定工程によって測定された前記電界強度に対応する所定の信号を生成し、前記所定の信号を無線で送信する信号送信工程と、
前記信号送信工程によって送信された前記所定の信号を受信し、当該所定の信号に基づいて前記電界強度測定工程によって前記電界強度の測定が行われた位置を特定する位置特定工程と、を備えることを特徴とする電界強度分布測定方法。
【発明の詳細な説明】
【技術分野】
【０００１】
本発明は、空間内における電界強度分布を測定する技術に関する。
【背景技術】
【０００２】
この種の技術が、例えば特許文献１に記載されている。特許文献１には、料金所ゲートの車線に設置された路側アンテナから無線電波を受信する測定アンテナを３次元方向へ移動させ、測定ポイントにて測定アンテナが路側アンテナから受信した無線電波の電界強度を測定する電界強度測定装置が記載されている。
【０００３】
【特許文献１】特開２００５−４５３２０号公報
【発明の開示】
【発明が解決しようとする課題】
【０００４】
しかしながら、上記した特許文献１に記載された技術では、測定アンテナが受信した信号を有線で送信していたため、取り回しが不便になる傾向にあった。
【０００５】
ところで、例えばＩＣタグの運用場などにおいて、空間内における電界強度分布などの測定が行われている。このような測定を行うのは、ＩＣタグを利用する場合には、リーダーなどによる読み取り作業を確実に行えるようにすることが重要であるからである。ここで、ＩＣタグの受電能力はＩＣタグのアンテナの電波特性及びＩＣタグが添付される被着体（例えば製品の入った段ボール箱など）の影響などを大きく受けるものと考えられる。しかしながら、従来では、このような影響を適切に考慮に入れて、ＩＣタグの運用場における電界強度分布の測定を行っていなかった。
【０００６】
本発明は、上記の点に鑑みてなされたものであり、ＩＣタグなどが用いられる空間内の電界強度分布を容易且つ適切に測定することが可能な電界強度分布測定装置、及び電界強度分布測定方法を提供することを課題とする。
【課題を解決するための手段】
【０００７】
本発明の１つの観点では、電界強度分布測定装置は、少なくともアンテナを備えて構成され、前記アンテナより受信された電波における電界強度を測定する電界強度測定手段と、前記電界強度測定手段によって測定された前記電界強度に対応する所定の信号を生成し、前記所定の信号を無線で送信する信号送信手段と、前記信号送信手段によって送信された前記所定の信号を受信し、当該所定の信号に基づいて前記電界強度測定手段によって前記電界強度の測定が行われた位置を特定する位置特定手段と、を備えることを特徴とする。
【０００８】
上記の電界強度分布測定装置は、測定対象となっている３次元空間（測定空間）における電界強度分布を測定するために好適に用いられる。具体的には、電界強度測定手段は、アンテナより受信された電波における電界強度を測定し、信号送信手段は、測定された電界強度に対応する所定の信号を生成し、この所定の信号を無線で送信する。そして、位置特定手段は、所定の信号を受信して、この所定の信号に基づいて電界強度の測定が行われた位置を特定する。このように位置特定手段より特定された位置と電界強度測定手段より測定された電界強度とから、測定空間内における電界強度分布を得ることができる。よって、上記の電界強度分布測定装置によれば、測定空間内の電界強度分布を適切に測定することが可能となる。更に、上記の電界強度分布測定装置によれば、信号送信手段が電界強度に対応する信号を無線で送信するため、有線で信号を送信する場合と比較して、取り回しが容易になるので、比較的容易に電界強度分布を測定することが可能となる。
【０００９】
上記の電界強度分布測定装置の一態様では、前記信号送信手段は、前記所定の信号として光信号を生成して、前記光信号を送信し、前記位置特定手段は、複数の受光素子を有し、前記複数の受光素子によって前記光信号を受信して、受信された前記光信号に基づいて前記電界強度の測定が行われた位置を特定する。この態様によれば、光信号を用いて、測定空間内の電界強度分布を適切に測定することができる。
【００１０】
上記の電界強度分布測定装置の他の一態様では、前記信号送信手段は、前記所定の信号としてＵＷＢ信号を生成して、前記ＵＷＢ信号を送信し、前記位置特定手段は、前記ＵＷＢ信号を受信可能なＵＷＢアンテナを有し、前記ＵＷＢアンテナによって前記ＵＷＢ信号を受信して、受信された前記ＵＷＢ信号に基づいて前記電界強度の測定が行われた位置を特定する。この態様によれば、ＵＷＢ（Ultra Wide Band）信号を用いて、測定空間内の電界強度分布を適切に測定することができる。
【００１１】
上記の電界強度分布測定装置の他の一態様では、前記電界強度測定手段は、前記アンテナを換装可能に構成されている。これにより、着目しているアンテナと同様の電波特性を有するアンテナを換装させることができる。したがって、着目しているアンテナが測定空間内で経験するような電界強度分布を、容易且つ適切に測定することが可能となる。
【００１２】
上記の電界強度分布測定装置において好適には、前記電界強度測定手段は、ＩＣタグのアンテナと同様の電波特性を有するアンテナに換装される。これにより、ＩＣタグのアンテナが測定空間内において経験するような電界強度分布を、容易且つ適切に測定することが可能となる。
【００１３】
上記の電界強度分布測定装置の他の一態様では、前記電界強度測定手段は、少なくとも前記アンテナの部分が被着体に一体にされた状態で、前記電界強度の測定を行う。これにより、被着体の影響（例えば被着体に添付された際の電界強度測定手段における受電能力など）が加味された電界強度分布を測定することが可能となる。例えば、電界強度測定手段のアンテナがＩＣタグのアンテナと同様の電波特性を有する場合には、被着体に添付されたＩＣタグがゲート内などにおいて経験する電界強度分布と概ね同様の電界強度分布を測定することが可能となる。
【００１４】
本発明の他の観点では、電界強度分布測定方法は、アンテナより受信された電波における電界強度を測定する電界強度測定工程と、前記電界強度測定工程によって測定された前記電界強度に対応する所定の信号を生成し、前記所定の信号を無線で送信する信号送信工程と、前記信号送信工程によって送信された前記所定の信号を受信し、当該所定の信号に基づいて前記電界強度測定工程によって前記電界強度の測定が行われた位置を特定する位置特定工程と、を備える。上記の電界強度分布測定方法によっても、測定空間内の電界強度分布を容易且つ適切に測定することができる。
【発明を実施するための最良の形態】
【００１５】
以下、図面を参照して本発明の好適な実施形態について説明する。
【００１６】
［測定システムの構成］
図１は、本発明の実施形態に係る電界強度分布測定システム１０の概略構成を示している。
【００１７】
電界強度分布測定システム１０は、主に、アンテナ２と、電界強度測定装置３と、位置特定装置４と、から構成される。電界強度分布測定システム１０は、基本的には、測定対象となっている３次元空間（以下では、「測定空間」とも呼ぶ。）における電界強度分布（電力密度分布）を測定するために用いられる。詳しくは、電界強度分布測定システム１０は、アンテナ２から送信された電波によって電界強度測定装置３が測定空間内で経験する電界強度分布を測定する。
【００１８】
アンテナ２は、図１中の符号Ｄで示すように、電界強度測定装置３に対して電波を送信する。例えば、アンテナ２は、ＩＣタグを読み取るための装置（リーダー）などに接続され、ＩＣタグを読み取るための電波などを送信する。
【００１９】
電界強度測定装置３は、アンテナ（不図示）などを備えて構成され、上記のアンテナ２から送信された電波を受信する。そして、電界強度測定装置３は、受信された電波の電界強度を測定する。つまり、電界強度測定装置３は、アンテナ２から送信された電波によって自身が経験する電界強度を測定する。更に、電界強度測定装置３は、測定された電界強度に対応する所定の信号を生成し、この所定の信号を無線で送信（発信）する。具体的には、電界強度測定装置３は、図１中の破線矢印Ｓで示すように、位置特定装置４に対して所定の信号を無線で送信する。なお、電界強度測定装置３は、電界強度分布を測定する際に、例えば、測定者などによって保持されて測定空間内を移動される。このように電界強度測定装置３は、本発明における電界強度測定手段及び信号送信手段に相当する。
【００２０】
位置特定装置４は、図１中の破線矢印Ｓで示すように、電界強度測定装置３から送信された所定の信号を無線で受信する。そして、位置特定装置４は、受信された所定の信号に基づいて、電界強度測定装置３によって電界強度の測定が行われた位置を特定するための処理を行う。このように、位置特定装置４は、本発明における位置特定手段に相当する。なお、位置特定装置４は、上記のようにして特定された測定位置に対して、測定された電界強度を対応付けたデータを記憶することができる。これにより、測定空間における電界強度分布に相当するデータが得られる。
【００２１】
以上の電界強度分布測定システム１０によれば、電界強度測定装置３が電界強度に対応する信号を無線で位置特定装置４に送信するため、有線で信号を送信する場合と比較して、取り回しが容易になるので、比較的容易に電界強度分布を測定することが可能となる。また、電界強度分布測定システム１０によれば、電界強度測定装置３及び位置特定装置４によって、電界強度を測定する処理と測定位置を特定する処理とが概ね同時に行われるため、測定位置を別途測定して電界強度と対応付ける場合と比較して、電界強度分布を容易且つ適切に測定することが可能となる。
【００２２】
［第１実施形態］
次に、上記した電界強度分布測定システム１０における第１実施形態について説明する。第１実施形態では、電界強度測定装置が、測定された電界強度に対応する所定の信号（無線で送信する所定の信号）として光信号を生成し、この光信号を位置特定装置に発信する。そして、位置特定装置が、電界強度測定装置から発信された光信号を受信し、受信された光信号に基づいて、電界強度測定装置によって電界強度の測定が行われた位置を特定する。
【００２３】
図２は、第１実施形態に係る電界強度分布測定システム１０ａの概略構成を示している。電界強度分布測定システム１０ａは、主に、アンテナ２と、電界強度測定装置３１と、位置特定装置４１と、から構成される。なお、電界強度測定装置３１及び位置特定装置４１は、それぞれ、前述した電界強度分布測定システム１０（図１参照）における電界強度測定装置３及び位置特定装置４の部分に適用される。また、図１と同一の符号を付した構成要素については同一の意味を示すものとして、その説明を省略する。
【００２４】
電界強度測定装置３１は、比較的小型に構成されており、アンテナ２から送信された電波を受信して、受信された電波の電界強度を測定する。そして、電界強度測定装置３１は、測定された電界強度をデジタル信号に変換して、このデジタル信号を光信号として発光素子（不図示）から発信する。具体的には、電界強度測定装置３１は、位置特定装置４１に対して光信号を発信する。例えば、電界強度測定装置３１は、赤外線や可視光線などをパルス信号として発信する。なお、電界強度測定装置３１は、測定空間における電界強度分布を測定する際に、例えば、測定者などによって保持されて測定空間内を移動される。
【００２５】
位置特定装置４１は、２つの受光素子４１ａ、４１ｂと、位置算出装置４１ｄと、を有する。受光素子４１ａ、４１ｂは、それぞれ、カメラなどによって構成され、図２中の破線矢印Ｓ１ａ、Ｓ１ｂで示すように、電界強度測定装置３１から発信された光信号を受信する。そして、受光素子４１ａ、４１ｂは、受信された光信号に対応する信号を位置算出装置４１ｄに対して出力する。なお、受光素子４１ａ、４１ｂは、測定空間における所定位置（例えば、受信された光信号に基づき、電界強度の測定が行われた位置を適切に算出することができるような位置）に配置される。
【００２６】
位置算出装置４１ｄは、受光素子４１ａ、４１ｂから出力された信号に基づいて、電界強度測定装置３１によって電界強度の測定が行われた位置を算出する。例えば、位置算出装置４１ｄは、ステレオビジョンに基づく信号処理などを行うことによって、３次元空間上の測定位置を算出する。そして、位置算出装置４１ｄは、このようにして算出された測定位置に対して電界強度を対応付けたデータを記憶する。これにより、測定空間における電界強度分布に相当するデータが得られる。なお、図２では、受光素子を２つ用いて位置特定装置４１を構成する例を示したが、受光素子を３つ以上用いて位置特定装置を構成しても良い。
【００２７】
以下で、第１実施形態における第１の例〜第３の例について説明する。
【００２８】
（第１の例）
まず、上記した電界強度分布測定システム１０ａを構成する電界強度測定装置３１における第１の例について説明する。
【００２９】
図３は、第１実施形態における第１の例に係る電界強度測定装置３１ａのブロック図を示している。電界強度測定装置３１ａは、主に、アンテナ３１ａａと、電力測定部３１ａｂと、エンコード部３１ａｃと、応答回路３１ａｄと、発光素子３１ａｅと、制御回路３１ａｆとを備える。なお、電界強度測定装置３１ａは、前述した電界強度分布測定システム１０ａにおける電界強度測定装置３１の部分に適用される（図２参照）。
【００３０】
アンテナ３１ａａは、前述したアンテナ２から送信された電波を受信する。電力測定部３１ａｂは、アンテナ３１ａａより受信された電波に対応する信号が入力され、この電波における電力を測定する。エンコード部３１ａｃは、電力測定部３１ａｂによって測定された電力を変換する処理を行う。例えば、エンコード部３１ａｃは、電力測定部３１ａｂが測定した電力をデジタル信号に変換する処理を行う。応答回路３１ａｄは、エンコード部３１ａｃで変換後のデータを取得し、このデータを発行素子３１ａｅから発信させるための処理を行う。発光素子３１ａｅは、応答回路３１ａｄからデータを取得し、このデータを光信号として発信する。例えば、発光素子３１ａｅは、赤外線や可視光線などを発信する。制御回路３１ａｆは、上記した電力測定部３１ａｂ、エンコード部３１ａｃ、応答回路３１ａｄ、及び発光素子３１ａｅに対する制御を行う。例えば、制御回路３１ａｆは、所定のタイミングで発光素子３１ａｅから光信号が発信されるように、応答回路３１ａｄに対する制御を行う。なお、図３では図示を省略しているが、電界強度測定装置３１ａは、発光素子３１ａｅや制御回路３１ａｆなどに電力を供給する電源（例えば電池）なども有する。
【００３１】
以上の第１実施形態における第１の例に係る電界強度測定装置３１ａによれば、光信号を用いて、測定空間内の電界強度分布を適切に測定することができる。
【００３２】
（第２の例）
次に、第１実施形態における第２の例について説明する。第１実施形態における第２の例では、電界強度測定装置におけるアンテナが取り替え可能に構成されている、即ちアンテナが換装可能に構成されている点で、上述した第１の例に係る電界強度測定装置３１ａと異なる。
【００３３】
図４は、第１実施形態における第２の例に係る電界強度測定装置３１ｂのブロック図を示している。電界強度測定装置３１ｂは、主に、アンテナ３１ｂａと、電力測定部３１ｂｂと、エンコード部３１ｂｃと、応答回路３１ｂｄと、発光素子３１ｂｅと、制御回路３１ｂｆと、コネクタ部３１ｂｇとを備える。なお、電界強度測定装置３１ｂは、前述した電界強度分布測定システム１０ａにおける電界強度測定装置３１の部分に適用される（図２参照）。
【００３４】
電力測定部３１ｂｂ、エンコード部３１ｂｃ、応答回路３１ｂｄ、発光素子３１ｂｅ、及び制御回路３１ｂｆは、それぞれ、前述した電力測定部３１ａｂ、エンコード部３１ａｃ、応答回路３１ａｄ、発光素子３１ａｅ、及び制御回路３１ａｆと概ね同様の構成を有し、概ね同様の処理を行うため、その説明を省略する（図３参照）。ここでは、アンテナ３１ｂａ及びコネクタ部３１ｂｇについて説明を行う。
【００３５】
電界強度測定装置３１ｂでは、前述したアンテナ２から送信される電波を受信するアンテナ３１ｂａが換装可能に構成されている。具体的には、アンテナ３１ｂａをコネクタ部３１ｂｇによって換装可能に構成されている。つまり、電界強度測定装置３１ｂでは、アンテナ３１ｂａが取り外し可能に構成されると共に、コネクタ部３１ｂｇにアンテナ３１ｂａが接続可能に構成されている。これにより、種々の特性を有するアンテナをコネクタ部３１ｂｇで換装することができる。よって、着目しているアンテナと同様の電波特性を有するアンテナを換装させることができる。例えば、ＩＣタグのアンテナと同様の電波特性（指向性）を有するアンテナを換装させることができる。なお、図４では図示を省略しているが、電界強度測定装置３１ｂは、発光素子３１ｂｅや制御回路３１ｂｆなどに電力を供給する電源（電池）なども有する。
【００３６】
以上の第１実施形態における第２の例に係る電界強度測定装置３１ｂによれば、着目しているアンテナ（ＩＣタグのアンテナなど）が測定空間内で経験する電界強度分布と概ね同様の電界強度分布を、容易且つ適切に測定することが可能となる。
【００３７】
（第３の例）
次に、第１実施形態における第３の例について説明する。第１実施形態における第３の例では、前述したような電界強度測定装置３１ａ、３１ｂを被着体に添付した状態で、電界強度分布の測定を行う点で、第１の例及び第２の例と異なる。つまり、第３の例では、被着体に添付された状態にある電界強度測定装置３１ａ、３１ｂが経験する電界強度分布を測定する。
【００３８】
図５は、電界強度測定装置３１ａ、３１ｂが添付された状態にある被着体５の斜視図を示している。被着体５は、例えばＩＣタグなどが添付されるべき物体であり、製品の入った段ボール箱などに相当する。このような被着体５に、前述した電界強度測定装置３１ａ及び電界強度測定装置３１ｂのいずれかが添付される。なお、被着体５において電界強度測定装置３１ａ若しくは電界強度測定装置３１ｂを添付する位置は、図５に示したものに限定はされない。
【００３９】
第１実施形態における第３の例では、このように被着体５に添付された状態にある電界強度測定装置３１ａ若しくは電界強度測定装置３１ｂが経験する電界強度分布を測定する。例えば、測定者などが電界強度測定装置３１ａ若しくは電界強度測定装置３１ｂが添付された被着体５を測定空間で移動させることによって、電界強度分布の測定が行われる。この場合、光信号が位置特定装置４１における受光素子４１ａ、４１ｂに適切に受信されるように、被着体５を保持して移動させることが望ましい。
【００４０】
以上の第１実施形態における第３の例によれば、被着体に添付された状態にある電界強度測定装置３１ａ、３１ｂが経験する電界強度分布を適切に測定することができる。具体的には、被着体５の影響（例えば被着体５に添付された際の電界強度測定装置３１ａ若しくは電界強度測定装置３１ｂの受電能力など）が加味された電界強度分布を測定することが可能となる。
【００４１】
例えば、ＩＣタグのアンテナと同様の電波特性を有するアンテナ３１ａａを備えた電界強度測定装置３１ａ、若しくはＩＣタグのアンテナと同様の電波特性を有するアンテナ３１ｂａを換装した電界強度測定装置３１ｂを用いて、ＩＣタグが読み取られるゲートなどにおいて測定を行うことにより、被着体５に添付されたＩＣタグがゲート内で経験する電界強度分布と概ね同様の電界強度分布を測定することが可能となる。つまり、ＩＣタグの読み取り作業が実際に行われる状況でＩＣタグが経験する電界強度分布を適切に測定することができる。これにより、測定された電界強度分布に基づいて、例えばゲートなどにおいてＩＣタグ６が添付された被着体５を通すべき位置や、ＩＣタグ６が添付された被着体５を通す際に設定すべき速度などを、効率的に決定することが可能となる。
【００４２】
［第２実施形態］
次に、上記した電界強度分布測定システム１０（図１参照）における第２実施形態について説明する。第２実施形態では、電界強度測定装置が、測定された電界強度に対応する所定の信号（無線で送信する所定の信号）としてＵＷＢ（Ultra Wide Band）信号を生成し、このＵＷＢ信号を位置特定装置に送信する点で、前述した第１実施形態と異なる。更に、第２実施形態では、位置特定装置は、電界強度測定装置から送信されたＵＷＢ信号を受信し、受信されたＵＷＢ信号に基づいて、電界強度測定装置によって電界強度の測定が行われた位置を特定する。このように、第２実施形態では、光信号の代わりにＵＷＢ信号を用いて電界強度分布の測定を行う。
【００４３】
図６は、第２実施形態に係る電界強度分布測定システム１０ｂの概略構成を示している。電界強度分布測定システム１０ｂは、主に、アンテナ２と、電界強度測定装置３２と、位置特定装置４２と、から構成される。なお、電界強度測定装置３２及び位置特定装置４２は、それぞれ、前述した電界強度分布測定システム１０（図１参照）における電界強度測定装置３及び位置特定装置４の部分に適用される。また、図１と同一の符号を付した構成要素については同一の意味を示すものとして、その説明を省略する。
【００４４】
電界強度測定装置３２は、比較的小型に構成されており、アンテナ２から送信された電波を受信して、受信された電波の電界強度を測定する。そして、電界強度測定装置３２は、測定された電界強度をＵＷＢ信号に変換して、このＵＷＢ信号を位置特定装置４２に対して送信する。なお、電界強度測定装置３２は、測定空間における電界強度分布を測定する際に、例えば、測定者などによって保持されて測定空間内を移動される。
【００４５】
位置特定装置４２は、３つのＵＷＢアンテナ４２ａ、４２ｂ、４２ｃと、位置算出装置４２ｄと、を有する。ＵＷＢアンテナ４２ａ、４２ｂ、４２ｃは、それぞれ、ＵＷＢ信号を受信可能に構成されたアンテナであり、図６中の破線矢印Ｓ２ａ〜Ｓ２ｃで示すように、電界強度測定装置３２から送信されたＵＷＢ信号を受信する。そして、ＵＷＢアンテナ４２ａ、４２ｂ、４２ｃは、それぞれ、受信されたＵＷＢ信号に対応する信号を位置算出装置４２ｄに対して出力する。なお、ＵＷＢアンテナ４２ａ、４２ｂ、４２ｃは、測定空間における所定位置（例えば、受信されたＵＷＢ信号に基づき、電界強度の測定が行われた位置を適切に算出することができるような位置）に配置される。
【００４６】
位置算出装置４２ｄは、ＵＷＢアンテナ４２ａ、４２ｂ、４２ｃから出力された信号に基づいて、電界強度測定装置３２によって電界強度の測定が行われた位置を算出する。そして、位置算出装置４２ｄは、このようにして算出された測定位置に対して電界強度を対応付けたデータを記憶する。これにより、測定空間における電界強度分布に相当するデータが得られる。なお、図６では、ＵＷＢアンテナを３つ用いて位置特定装置４２を構成する例を示したが、ＵＷＢアンテナを４つ以上用いて位置特定装置を構成しても良い。
【００４７】
以下で、第２実施形態における第１の例〜第３の例について説明する。
【００４８】
（第１の例）
まず、上記した電界強度分布測定システム１０ｂを構成する電界強度測定装置３２における第１の例について説明する。
【００４９】
図７は、第２実施形態における第１の例に係る電界強度測定装置３２ａのブロック図を示している。電界強度測定装置３２ａは、主に、アンテナ３２ａａと、電力測定部３２ａｂと、エンコード部３２ａｃと、応答回路３２ａｄと、ＵＷＢアンテナ３２ａｅと、制御回路３２ａｆとを備える。なお、電界強度測定装置３２ａは、前述した電界強度分布測定システム１０ｂにおける電界強度測定装置３２の部分に適用される（図６参照）。
【００５０】
アンテナ３２ａａ、電力測定部３２ａｂ、エンコード部３２ａｃ、応答回路３２ａｄ、及び制御回路３２ａｆは、それぞれ、前述したアンテナ３１ａａ、電力測定部３１ａｂ、エンコード部３１ａｃ、応答回路３１ａｄ、及び制御回路３１ａｆと概ね同様の構成を有し、概ね同様の処理を行うため、その説明を省略する（図３参照）。ここでは、ＵＷＢアンテナ３２ａｅのみについて説明を行う。ＵＷＢアンテナ３２ａｅは、応答回路３２ａｄからデータを取得し、このデータをＵＷＢ信号として送信する。具体的には、ＵＷＢアンテナ３２ａｅは、数ＧＨｚにわたる非常に広い帯域に、弱い電波で、ごく短い時間のパルス状の信号を送信する。なお、図７では図示を省略しているが、電界強度測定装置３２ａは、制御回路３２ａｆなどに電力を供給する電源（電池）なども有する。
【００５１】
以上の第２実施形態における第１の例に係る電界強度測定装置３２ａによれば、ＵＷＢ信号を用いて、測定空間内の電界強度分布を適切に測定することができる。
【００５２】
（第２の例）
次に、第２実施形態における第２の例について説明する。第２実施形態における第２の例では、電界強度測定装置におけるアンテナが換装可能に構成されている点で、上述した第２実施形態における第１の例と異なる。
【００５３】
図８は、第２実施形態における第２の例に係る電界強度測定装置３２ｂのブロック図を示している。電界強度測定装置３２ｂは、主に、アンテナ３２ｂａと、電力測定部３２ｂｂと、エンコード部３２ｂｃと、応答回路３２ｂｄと、ＵＷＢアンテナ３２ｂｅと、制御回路３２ｂｆと、コネクタ部３２ｂｇとを備える。なお、電界強度測定装置３２ｂは、前述した電界強度分布測定システム１０ｂにおける電界強度測定装置３２の部分に適用される（図６参照）。
【００５４】
電力測定部３２ｂｂ、エンコード部３２ｂｃ、応答回路３２ｂｄ、ＵＷＢアンテナ３２ｂｅ、及び制御回路３２ｂｆは、それぞれ、前述した電力測定部３２ａｂ、エンコード部３２ａｃ、応答回路３２ａｄ、ＵＷＢアンテナ３２ａｅ、及び制御回路３２ａｆと概ね同様の構成を有し、概ね同様の処理を行うため、その説明を省略する（図７参照）。ここでは、アンテナ３２ｂａ及びコネクタ部３２ｂｇについて説明を行う。電界強度測定装置３２ｂでは、前述したアンテナ２から送信される電波を受信するアンテナ３２ｂａが換装可能に構成されている。具体的には、アンテナ３２ｂａをコネクタ部３２ｂｇによって換装可能に構成されている。これにより、着目しているアンテナと同様の電波特性を有するアンテナをコネクタ部３２ｂｇで換装することができる。例えば、ＩＣタグのアンテナと同様の電波特性（指向性）を有するアンテナを換装させることができる。なお、図８では図示を省略しているが、電界強度測定装置３２ｂは、制御回路３２ｂｆなどに電力を供給する電源（電池）なども有する。
【００５５】
以上の第２実施形態における第２の例に係る電界強度測定装置３２ｂによれば、着目しているアンテナ（ＩＣタグのアンテナなど）が測定空間内で経験する電界強度分布と概ね同様の電界強度分布を、容易且つ適切に測定することが可能となる。
【００５６】
（第３の例）
次に、第２実施形態における第３の例について説明する。第２実施形態における第３の例では、前述したような電界強度測定装置３２ａ、３２ｂを被着体に添付した状態で、電界強度分布の測定を行う点で、第１の例及び第２の例と異なる。つまり、第３の例では、被着体に添付された状態にある電界強度測定装置３２ａ、３２ｂが経験する電界強度分布を測定する。
【００５７】
図９は、電界強度測定装置３２ａ、３２ｂが添付された状態にある被着体５の斜視図を示している。被着体５は、例えばＩＣタグなどが添付されるべき物体であり、製品の入った段ボール箱などに相当する。このような被着体５に、前述した電界強度測定装置３２ａ及び電界強度測定装置３２ｂのいずれかが添付される。なお、被着体５において電界強度測定装置３２ａ若しくは電界強度測定装置３２ｂを添付する位置は、図９に示したものに限定はされない。第２実施形態における第３の例では、このように被着体５に添付された状態にある電界強度測定装置３２ａ若しくは電界強度測定装置３２ｂが経験する電界強度分布を測定する。例えば、測定者などが電界強度測定装置３２ａ若しくは電界強度測定装置３２ｂが添付された被着体５を測定空間で移動させることによって、電界強度分布の測定が行われる。
【００５８】
以上の第２実施形態における第３の例によれば、被着体に添付された状態にある電界強度測定装置３２ａ、３２ｂが経験する電界強度分布を適切に測定することができる。具体的には、被着体５の影響（例えば被着体５に添付された際の電界強度測定装置３２ａ若しくは電界強度測定装置３２ｂの受電能力など）が加味された電界強度分布を測定することが可能となる。例えば、ＩＣタグのアンテナと同様の電波特性を有するアンテナ３２ａａを備えた電界強度測定装置３２ａ、若しくはＩＣタグのアンテナと同様の電波特性を有するアンテナ３２ｂａを換装した電界強度測定装置３２ｂを用いて、ＩＣタグが読み取られるゲートなどにおいて測定を行うことにより、被着体５に添付されたＩＣタグがゲート内で経験する電界強度分布と概ね同様の電界強度分布を測定することが可能となる。つまり、ＩＣタグの読み取り作業が実際に行われる状況でＩＣタグが経験する電界強度分布を適切に測定することができる。
【００５９】
［変形例］
上記では、位置特定装置４（図１参照）が測定位置に対応付けて電界強度を記憶する例を示したが、これに限定はされない。つまり、パラメータとして測定位置のみを用いて、電界強度の測定を行うことに限定はされない。他の例では、このような測定位置だけでなく、電界強度測定装置の種類（言い換えるとアンテナの種類）や、被着体の種類や、被着体において電界強度測定装置を添付する位置や、測定空間内における被着体の向き（方向）などをパラメータとして用いて、電界強度の測定を行うことができる。これにより、種々のパラメータに対応付けられた電界強度分布を得ることが可能となる。
【図面の簡単な説明】
【００６０】
【図１】本実施形態に係る電界強度分布測定システムの概略構成図である。
【図２】第１実施形態に係る電界強度分布測定システムの概略構成図である。
【図３】第１実施形態における第１の例に係る電界強度測定装置のブロック図である。
【図４】第１実施形態における第２の例に係る電界強度測定装置のブロック図である。
【図５】第１実施形態に係る電界強度測定装置が添付された状態にある被着体の斜視図である。
【図６】第２実施形態に係る電界強度分布測定システムの概略構成図である。
【図７】第２実施形態における第１の例に係る電界強度測定装置のブロック図である。
【図８】第２実施形態における第２の例に係る電界強度測定装置のブロック図である。
【図９】第２実施形態における電界強度測定装置が添付された状態にある被着体の斜視図である。
【符号の説明】
【００６１】
２  アンテナ、  ３  電界強度測定装置、  ４  位置特定装置、  ５  被着体、  ３１ａｅ  発光素子、  ３２ａｅ、４２ａ  ＵＷＢアンテナ、  ４１ａ  受光素子、  １０、１０ａ、１０ｂ  電界強度分布測定システム
【図１】
2009075048.tif 000003
【図２】
2009075048.tif 000004
【図３】
2009075048.tif 000005
【図４】
2009075048.tif 000006
【図５】
2009075048.tif 000007
【図６】
2009075048.tif 000008
【図７】
2009075048.tif 000009
【図８】
2009075048.tif 000010
【図９】
2009075048.tif 000011